(57)【特許請求の範囲】
【請求項１】
長尺の電線の端部に端子を接続した端子付き電線を丸めて纏めた電線束を複数束収納し該電線束の端部を引き出して前記端子付き電線を巻き出す電線束収納部材と、
前記電線束の端部を引き出すときに前記電線束収納部材を回転自在に支持する支持杆と、
によって構成されてなり、
前記電線束収納部材は、
上部に突出し丸めて纏められた前記電線束をはめ込み収納保持する突出部と、
前記突出部に連成され該突出部の下部後端に設けられる鍔部と、
を備え、
前記突出部は、
この頂部に向かうにしたがってすぼむ円錐台状に形成され、且つ、前記頂部が封止され前記下部が開放されるように形成され、
前記鍔部は、
前記突出部に連成し該突出部にドーナツ状に外部に張り出す平坦部によって構成してなり、
前記支持杆は、
棒状に形成される棒体と、該棒体の先端に取り付けられ円板状に形成される皿部材と、によって構成され、且つ、該皿部材の径が前記突出部の内面の頂部の径よりも小さく形成され、且つ、前記皿部材に前記突出部の内面の頂部を被せて前記電線束収納部材を着脱自在に支持するものであるとともに前記皿部材の上に回転自在にまた複数方向に揺動自在に支持するものであり、
前記突出部に複数種の前記電線束を配置し、前記電線束収納部材を回転させつつ複数方向に揺動させながらコネクタに前記端子付き電線を引き出し可能であることを特徴とする電線巻出し装置。
【請求項２】
請求項１に記載の電線巻出し装置において、
前記電線束収納部材の突出部の頂部の径は、前記平坦部の外側周端辺に連成される径よりも小さい径で形成されていることを特徴とする電線巻出し装置。
【請求項３】
請求項１又は２に記載の電線巻出し装置において、
前記電線束収納部材の突出部の外周面には、リング状の複数の段差部が前記突出部の軸方向において所定の間隔をあけて配置形成されていることを特徴とする電線巻出し装置。
【発明の詳細な説明】
【技術分野】
【０００１】
本発明は、長尺な長さに切断された電線の端部にコネクタを接続してサブワイヤハーネス（サブハーネス）の製造に係り、特に電線束から引き出す電線が絡み合うことなく、しかも複数の電線束から同時に引き出すことのできる電線巻出し装置に関するものである。
【背景技術】
【０００２】
自動車等に配索される組電線であるワイヤハーネスは、複数のサブハーネスを組み合わせて構成されている。すなわち、サブハーネスは、複数本の電線と、各電線の一端又は両端に圧着される端子と、端子を挿着する合成樹脂製のコネクタハウジングとによって構成されている。
そして、電線の端末への端子のコネクタの取り付けは、電線の端末の被覆を剥がして導線を露出させた状態で、予めセットしてあるコネクタに導線を差し込み接続し、サブハーネスの製造を行っている。
【０００３】
このようなサブハーネスの製造に当たっては、従来は、サブハーネスの製造工程の前工程で長尺な長さに切断された電線を丸めて束ねた電線束から、作業者が竿に引っ掛けた状態にして、この電線束の電線の端部を持って引き出していた。
このため、丸く束ねた電線束から電線の端部を引き出した際に、電線が絡み合って、スムーズに引き出せないという問題を有していた。
【０００４】
そこで、近年、移動体を小型、軽量化することができ、ケーブルの繰出し作業を円滑化することができ、ケーブルの絡まりや、断線を防止することができるケーブルの繰出し装置が提案されている（特許文献１）。
この特許文献１は、ヘリコプターに装着されるケーブル３の繰出し装置２であって、ケーブル３を収納するケース４と、ケース４内に設けられ、ケーブル３を巻装状態で収納するケーブル巻装部５と、ケーブル巻装部５から繰り出されるケーブル３をケース４の一端部側の軸心位置に形成された繰出し口６まで案内する案内部材７とを具備し、ヘリコプターの移動にともないケーブル３が案内部材７にガイドされて繰出し口６から自重で繰り出されるようになっている。
すなわち、ヘリコプターを移動させることによってケーブルを繰出し口６からケーブルの自重によって案内部材７にガイドされて繰り出されるものである。
【０００５】
また、電線束１８に対する加熱効率の向上を図ると共に、加熱の均等化も図った電線癖除去装置１が提案されている（特許文献２）。
この特許文献２は、金属網の載置支持板５とヒータ載置板６を備える支持台２を備え、電線束１８が載置されたサプライスタンド７が載置状とされる載置支持板５の位置と対応する下方のヒータ載置板６上にヒータ１２が配設され載置支持板５とヒータ載置板６とシート材１５で囲まれた加熱室１６内にヒータ１２で加熱された空気をサプライスタンド７側に送風ファン１３で強制的に送風することでサプライスタンド７に載置されたコイル状に巻かれた電線束１８から順次引き出される電線の癖を取り除くものである。
【先行技術文献】
【特許文献】
【０００６】
【特許文献１】特開２０１４−１６９１５１号公報
【特許文献１】特開平９−１２２１７号公報
【発明の概要】
【発明が解決しようとする課題】
【０００７】
しかしながら、特許文献１は、移動体を小型、軽量化することができ、ケーブルの繰出し作業を円滑化することができ、ケーブルの絡まりや、断線を防止することができるケーブルの繰出し装置であり、長尺な長さに切断された電線の端部にコネクタを接続してサブワイヤハーネス（サブハーネス）を製造する際に電線束から引き出す電線が絡み合うことなく、しかも複数の電線束から同時に引き出すことができないという問題点を有している。
【０００８】
また、特許文献２は、載置支持板５とヒータ載置板６とシート材１５で囲まれた加熱室１６内にヒータ１２で加熱された空気をサプライスタンド７側に送風ファン１３で強制的に送風することでサプライスタンド７に載置されたコイル状に巻かれた電線束１８から順次引き出される電線の癖を取り除くもので、長尺な長さに切断された電線の端部にコネクタを接続してサブワイヤハーネス（サブハーネス）を製造する際に電線束から引き出す電線が絡み合うことなく、しかも複数の電線束から同時に引き出すことができないという問題点を有している。
【０００９】
本発明の目的は、上記した事情に鑑みてなされたもので、電線束から引き出す端子付き電線が絡み合うことなく、しかも複数の電線束から同時に引き出すことのできる電線巻出し装置を提供することにある。
【課題を解決するための手段】
【００１０】
上記課題を解決するためになされた請求項１記載の本発明の電線巻出し装置は、長尺の電線の端部に端子を接続した端子付き電線を丸めて纏めた電線束を複数束収納し該電線束の端部を引き出して前記端子付き電線を巻き出す電線束収納部材と、
前記電線束の端部を引き出すときに前記電線束収納部材を回転自在に支持する支持杆と、
によって構成されてなり、
前記電線束収納部材は、
上部に突出し丸めて纏められた前記電線束をはめ込み収納保持する突出部と、
前記突出部に連成され該突出部の下部後端に設けられる鍔部と、
を備え、
前記突出部は、
この頂部に向かうにしたがってすぼむ円錐台状に形成され、且つ、前記頂部が封止され前記下部が開放されるように形成され、
前記鍔部は、
前記突出部に連成し該突出部にドーナツ状に外部に張り出す平坦部によって構成してなり、
前記支持杆は、
棒状に形成される棒体と、該棒体の先端に取り付けられ円板状に形成される皿部材と、によって構成され、且つ、該皿部材の径が前記突出部の内面の頂部の径よりも小さく形成され、且つ、前記皿部材に前記突出部の内面の頂部を被せて前記電線束収納部材を着脱自在に支持するものであるとともに前記皿部材の上に回転自在にまた複数方向に揺動自在に支持するものであり、
前記突出部に複数種の前記電線束を配置し、前記電線束収納部材を回転させつつ複数方向に揺動させながらコネクタに前記端子付き電線を引き出し可能であることを特徴としている。
【００１１】
上記課題を解決するためになされた請求項２記載の本発明の電線巻出し装置は、前記電線束収納部材の突出部の頂部の径は、前記平坦部の外側周端辺に連成される径よりも小さい径で形成されていることを特徴としている。
【００１２】
上記課題を解決するためになされた請求項３記載の本発明の電線巻出し装置は、請求項１又は２に記載の電線巻出し装置において、前記電線束収納部材の突出部の外周面には、リング状の複数の段差部が前記突出部の軸方向において所定の間隔をあけて配置形成されていることを特徴としている。
【発明の効果】
【００１５】
本発明によれば、長尺な長さに切断された端子付き電線の端子部にコネクタを接続してサブワイヤハーネス（サブハーネス）を製造する際に、電線束から引き出す端子付き電線が絡み合うことなく、しかも複数の電線束から同時に引き出すことができる。
【図面の簡単な説明】
【００１６】
【図１】電線巻出し装置の全体構成図である。
【図２】図１に図示の電線巻出し装置を反対側から見た全体構成図である。
【図３】図１に図示の電線束収納部材を下斜めから見た状態を示す図である。
【図４】図３に図示の電線束収納部材の断面図である。
【図５】支持杆から電線束収納部材を取り外した状態を示す図である。
【図６】図５に図示の電線束収納部材の下面図である。
【図７】図１に図示の電線巻出し装置の電線束収納部材から電線を巻き出している状態を示す図である。
【図８】図１に図示の電線巻出し装置の電線束収納部材に取り付ける前の工程において製造した端子付き電線を束状に丸めて電線束収納竿台に引っ掛けた状態を示す図である。
【図９】図７に図示の電線巻出し装置の電線束収納部材から巻き出した電線の端部に付いている接続端子にコネクタを装着している状態を示す図である。
【図１０】図９において電線の端部に付いている端子にコネクタを装着してて完成したサブハーネスを竿台車に引っ掛けて収納した状態を示す図である。
【発明を実施するための形態】
【００１７】
以下、本発明の実施例について図面を用いて説明する。
【００１８】
図面図１〜図６には、本発明に係る電線巻出し装置の実施例が示されている。
図１は電線巻出し装置の全体構成図、図２は図１に図示の電線巻出し装置を反対側から見た全体構成図、図３は図１に図示の電線束収納部材を下斜めから見た状態を示す図、図４は図３に図示の電線束収納部材の断面図、図５は支持杆から電線束収納部材を取り外した状態を示す図、図６は図５に図示の電線束収納部材の下面図である。
【００１９】
図１には、本発明に係る電線巻出し装置１の全体が示されている。
電線巻出し装置１は、電線束収納部材２と、支持部材３によって構成されている。
この電線束収納部材２は、図２に示す如く、本実施例においては、２つ並べて設けられている。この電線束収納部材２の数を本実施例においては２つとしているが、必ずしも２つである必要はなく、１個でも２個以上であっても良い。この電線束収納部材２の個数は、工場内の作業スペースの広さによって決定されるものである。
【００２０】
電線束収納部材２は、帽子形状を有しており、中心部に突出部４が形成されており、この突出部４の下部に鍔部５が設けられている。
突出部４は、円形のコップをひっくり返したようになっており、上部６が封止されており、下部７が図３に示す如く、開放された状態になっている。
この突出部４は、頂部（上部先端）６ａの径が、下部７の開放部７ａの径よりも小さく形成されている。
【００２１】
この電線束収納部材２の突出部４は、図２に示す如く、長尺の電線８を丸めて束状に形成される電線束９を装着するものである。
電線束９は、前の工程で製造されるものであり、長尺の電線を測長して必要な長さ（例えば、６ｍ，８ｍ，１０ｍ等）で切断して所望の長さの長尺の電線８となっている。このように製造された所望の長さの長尺の電線８は、両端部に接続端子を接続して、電線８を丸く纏めて束状に束ねて電線束９として製造される。
【００２２】
この丸く纏めて束状に束ねて製造された電線束９は、後述する図８に示す如き電線束収納竿台１０に懸架されて収納されている。
電線束収納竿台１０は、図８に示す如く、ポール１１を組み込んで形成される本体１２を備えている。この本体１２には、下部にキャスター１３が取り付けられており、このキャスター１３によって本体１２は、移動可能に設けられている。
この本体１２の上部には、前の工程で製造された長尺の電線８を丸く纏めて束ねた電線束９を懸架する電線束掛け竿１４が複数本設けられている。
この電線束収納竿台１０は、電線束掛け竿１４に電線束９を懸架して、所定の量の電線束９が纏まると、サブワイヤハーネス（サブハーネス）を製造する工程の近傍に移動される。
【００２３】
電線束収納部材２は、丸く纏めて束状に形成した電線束９を突出部４に１束又は複数束を収納して各電線束９から１本又は複数本の電線８を巻き出すためのものである。電線束収納部材２の突出部４に収納する電線束９の数は、１つのコネクタに接続する電線８の数によって決定される。例えば、１個のコネクタに電線８の端部に接続されている接続端子８ａを３個取り付けて、３本の電線８を接続する場合には、電線束収納部材２に、３つの電線束９を装着し、それぞれの電線束９の接続端子８ａが接続されている端部を同時に巻き出して各電線束９の接続端子８ａを１個のコネクタに装着して接続する。
また、例えば、１個のコネクタに電線８ａの端部に接続されている接続端子を２個取り付けて、２本の電線８ａを接続する場合には、電線束収納部材２に、２つの電線束８を装着し、それぞれの電線束８の接続端子が接続されている端部を同時に巻き出して各電線束８の接続端子を１個のコネクタに装着して接続する。
【００２４】
電線束収納部材２の突出部４は、図６に示す如く、上部先端６ａに向かってしぼむテーパー状に形成されている。このように形成するのは、電線束９を装着し易くするためと、電線束９の端部を引き出して該電線８を巻き出すときに絡み難くし、電線８をスムーズに巻き出せるようにするためである。
また、突出部４の外周面には、図２に示す如く、所定間隔でリング状の段差部１５が形成されている。この段差部１５は、突出部４の外周面に所定間隔で周回する突起によって構成されている。
この段差部１５は、突出部４に電線束９を装着した際にストレートに電線束９が突出部４に嵌まり込まないようにするのと、電線束９の端部を引き出して電線８を突出部４から巻き出すときに電線８が絡み難くする作用をし、電線８がスムーズに巻き出されるようにするのに効果を有している。
【００２５】
鍔部５は、図３に示す如く、突出部４に連成され該突出部４の下部７の開放部７ａに設けられている。
この鍔部５には、電線束収納部材２の突出部４に連成され、この突出部４の下部７の開放部７ａからドーナツ状に外部に張り出すように平坦部１６が設けられている。
この平坦部１６は、電線束９の丸めた径が突出部４の径よりも大きかったときに受け止める電線束受け部の役目を果たしている。この平坦部１６の幅は、電線束９の端部を引き出す際に、巻き出す電線８によって揺り動かされる鍔部５がバランス良く揺れ動くのに最適な幅に形成されている。
【００２６】
この鍔部５の平坦部１６には、平坦部１６に連成し、この平坦部１６の外側周端辺１７から上方向に折り曲げられた折り曲げ部１８が円筒状に設けられている。この鍔部５の折り曲げ部１８は、電線束９の丸めた径が突出部４の径よりも大きく平坦部１６の上に載置された場合に、収納した電線束９が鍔部５から外れることのないようにするためのものである。
この折り曲げ部１８の高さは、特に特定されてはいないが、突出部４に電線束９を装着して電線束９の接続端子の接続されている端部を持って電線８を巻き出した際に、電線８が折り曲げ部１８の上端部１９に当たり、擦れて巻き出しに支障を来すことのない高さに形成されている。
すなわち、折り曲げ部１８の高さが、高過ぎると折り曲げ部１８の上端部１９で電線８を擦ってしまう支障を来すことがあり、折り曲げ部１８の高さか、低過ぎると電線８を巻き出しているときに電線８が折り曲げ部１８を乗り越えて鍔部５の下部の支持部材３に絡みつく支障を来すことがある。
【００２７】
電線束収納部材２は、支持部材３に取り付けられている。この支持部材３は、図４，図５に示す如く、支持枠２０と、支持杆２１とによって構成されている。
支持枠２０は、ポール２２を組んで形成する支持体２３を備えている。この支持体２３には、下部にキャスター２４が設けられている。このキャスター２４によって支持枠２０は、移動可能に構成されている。
【００２８】
この支持体２３には、支持杆２１が上方向に突出するように設けられている。この支持杆２１は、図５に示す如く、支持枠２０の上部ポール２２ａに取り付けられている。
この支持杆２１は、棒状に形成される棒体２１ａと、この棒体２１ａの先端に取り付けられる円板状に形成される皿部材２１ｂとによって構成されている。
この皿部材２１ｂには、図４に示す如く、電線束収納部材２の突出部４の内面の頂部６ａが当接し、電線束収納部材２が支持杆２１で支持された状態となっている。
図５において、２２ｂは、側部ポールで、支持部材３を移動する際の手摺りの役目をするものである。
【００２９】
支持杆２１の皿部材２１ｂの径は、電線束収納部材２の突出部４の内面の頂部６ａの径よりも小さく形成されている。このように構成することにより、電線束収納部材２は、支持杆２１の上に回転自在に、また揺動自在に載置されている。
すなわち、電線束収納部材２は、図５に示す如く、支持部材３の支持杆２１に被せられた状態となっている。
【００３０】
次に、電線巻出し装置１の動作について説明する。
前工程で長尺の電線を測長して必要な長さ（例えば、６ｍ，８ｍ，１０ｍ等）に切断して所望の長さの長尺の電線８を製造し、この長尺の電線８の両端部に接続端子を接続する。しかる後、この両端部に接続端子が接続された長尺の電線８を丸く纏めて留めて電線束９を製造する。
このように製造された電線束９は、図８に示すされる電線束収納竿台１０の電線束掛け竿１４に収納する。
【００３１】
この電線束収納竿台１０の電線束掛け竿１４に所定量の電線束９が懸架されると、サブワイヤハーネス（サブハーネス）を製造する工程に移動されてくる。
このサブワイヤハーネス（サブハーネス）を製造する工程においては、図９に示す如く、両端部に接続端子８ａが接続された長尺の電線８にコネクタ２５を取り付ける作業を行う。
【００３２】
製造されるサブワイヤハーネス（サブハーネス）は、使用されるハーネスによって１個のコネクタに接続される長尺の電線８の本数が異なる。そこで、図９に示す如く、製造するサブワイヤハーネス（サブハーネス）に対応してコネクタ２５を作業台２６に設置し、当該コネクタ２５に接続する長尺の電線８を選定する。
コネクタ２５に接続する長尺の電線８を選定すると、図８に示される電線束収納竿台１０の電線束掛け竿１４から使用する電線束９を取り出し、電線束収納部材２の突出部４にセットする。
【００３３】
電線束９を電線束収納部材２の突出部４に装着するにあたっては、製造するサブワイヤハーネス（サブハーネス）に必要な本数（例えば、３本）の電線束８を電線束収納竿台１０の電線束掛け竿１４から取り出し、突出部４に嵌めることで行う。
そして、電線束９を束ねて留めている留め部を外して、電線束収納部材２の突出部４から電線８の端部に接続されている接続端子８ａを持って引っ張って複数本（例えば、３本）の電線８を図７に示すように一緒に引き出す。
【００３４】
サブワイヤハーネス（サブハーネス）を製造するにあたって、例えば、１個のコネクタに電線８を３本接続する場合は、電線束収納竿台１０の電線束掛け竿１４から３つの電線束９を取り出し、電線束収納部材２の突出部４にセットする。そして、電線束９の留め部を外して電線８の端部に接続されている接続端子８ａを持って３本の電線８を一緒に引き出す。
また、サブワイヤハーネス（サブハーネス）を製造するにあたって、例えば、１個のコネクタに電線８を４本接続する場合は、電線束収納竿台１０の電線束掛け竿１４から４つの電線束９を取り出し、電線束収納部材２の突出部４にセットする。そして、電線束９の留め部を外して電線８の端部に接続されている接続端子８ａを持って４本の電線８を一緒に引き出す。
【００３５】
このように電線束収納部材２の突出部４から電線束９を形成している電線８の端部に接続されている接続端子８ａを持って電線８を引き出すと、電線束収納部材２は、支持杆２１の皿部材２１ｂの上で回転する。この電線束収納部材２は、支持杆２１の皿部材２１ｂの上に載せてあるだけなので、電線８の端部を引っ張って回転するため、電線８の引っ張りに応じて電線束収納部材２は、図７の矢印Ａ，Ｂに示す如く、前後左右に揺動しながら回転し、電線束９から電線８は巻き出される。
このように電線束９から電線８の端部を引っ張って巻き出す際に電線束収納部材２が回転しながら、前後左右に揺動するため、電線束９から電線８が絡むことなく巻き出される。
【００３６】
このように電線束９から巻き出された電線８は、作業者によって図９に示される作業台２６に設置されているコネクタ２５の所まで引っ張られ、コネクタ２５に長尺の電線８の一端部に接続されている接続端子８ａを装着する。
このコネクタ２５には、指定された本数の電線８の接続端子８ａを装着し、サブワイヤハーネス（サブハーネス）を製造する。この電線８の他端部の接続端子にも一端部と同様にコネクタ２４を装着し、サブワイヤハーネス（サブハーネス）を製造する。
このように電線８の両端部の接続端子８ａにコネクタ２５を装着して製造したサブワイヤハーネス（サブハーネス）は、図１０に示す如き竿台車２７に留め置かれる。
【００３７】
竿台車２７は、第１０図に示す如く、電線８の両端部の接続端子８ａにコネクタ２５を装着して製造したサブワイヤハーネス（サブハーネス）を収納するもので、電線保持竿２８と、台車本体２９とによって構成されている。
電線保持竿２８は、台車本体２９に設けられた支持部材３０を備えている。この支持部材３０は、アーム状の支持棒を横に張り出して形成されている。この支持部材３０には、電線８の両端部の接続端子８ａにコネクタ２５を装着して製造したサブワイヤハーネス（サブハーネス）のコネクタ２５の近傍の電線部分を挟み込んで吊り下げる電線クリップ３１が設けられている。
【００３８】
電線クリップ３１は、一対の挟持子から構成され、この一対の挟持子の間がサブワイヤハーネス（サブハーネス）のコネクタ２５の近傍の電線部を挟み込んで保持する電線保持部として形成される。この電線クリップ３１は、全て同じ大きさ及び形状に形成される。電線クリップ３１は、１つの電線保持竿２８に数十個存在するように設けられる。
【００３９】
台車本体２８は、指定された本数の電線８の接続端子８ａを装着して製造されたサブワイヤハーネス（サブハーネス）を保持する電線保持竿２８を所定の位置に移動するためのものである。この台車本体２９は、電線保持竿２８を取り付け、この電線保持竿２８を支持する支持部３２を備えている。この支持部３２には、下部にキャスター３３が取り付けられており、このキャスタ３３によって台車本体２９は、移動可能に構成されている。
【００４０】
電線束収納部材２の突出部４から電線束９を形成している電線８の端部に接続されている接続端子８ａを持って電線８を引き出すことによって、電線束収納部材２は、支持杆２１の皿部材２１ｂの上で回転する。このように電線束９から電線８の端部を引っ張って巻き出す際に電線束収納部材２を回転させながら、かつ電線束収納部材２を前後左右に揺動させながら電線束９から電線８を絡むことなく巻き出す。
そして、電線束９から電線８の端部に接続されている接続端子を作業台２６にセットされているコネクタ２５に装着して、サブワイヤハーネス（サブハーネス）を製造する。
【００４１】
作業台２６において作業者が電線束９から引き出した電線８の端部に接続されている接続端子をコネクタ２５に装着して、製造されたサブワイヤハーネス（サブハーネス）は、コネクタ２５の近傍の電線部分を電線クリップ３１に挟み込んで竿台車２９の電線保持竿２８に吊り下げる。
この竿台車２７には、製造されたサブワイヤハーネス（サブハーネス）を吊り下げられるだけ吊り下げ、次工程のサブワイヤハーネス（サブハーネス）にコルゲートチューブを装着する等の配策を行う工程の近傍に移動する。
【００４２】
この他、本発明は本発明の主旨を変えない範囲で種々変更実施可能なことは勿論である。
【符号の説明】
【００４３】
１………………………電線巻出し装置
２………………………電線束収納部材
３………………………支持部材
４………………………突出部
５………………………鍔部
６………………………上部
６ａ……………………頂部（上部先端）
７………………………下部
７ａ……………………開放部
８………………………電線
８ａ……………………接続端子
９………………………電線束
１０……………………電線束収納竿台
１１……………………ポール
１２……………………本体
１３……………………キャスター
１４……………………電線束掛け竿
１５……………………段差部
１６……………………平坦部
１７……………………外側周端辺
１８……………………折り曲げ部
１９……………………上端部
２０……………………支持枠
２１……………………支持杆
２１ａ…………………棒体
２１ｂ…………………皿部材
２２……………………ポール
２２ａ…………………上部ポール
２３……………………支持体
２４……………………キャスター
２５……………………コネクタ
２６……………………作業台
２７……………………竿台車
２８……………………電線保持竿
２９……………………台車本体
３０……………………支持部材
３１……………………電線クリップ
３２……………………支持部
３３……………………キャスター
【図１】
0006616167.tif 000002
【図２】
0006616167.tif 000003
【図３】
0006616167.tif 000004
【図４】
0006616167.tif 000005
【図５】
0006616167.tif 000006
【図６】
0006616167.tif 000007
【図７】
0006616167.tif 000008
【図８】
0006616167.tif 000009
【図９】
0006616167.tif 000010
【図１０】
0006616167.tif 000011